(57)【特許請求の範囲】
【請求項１】
シートそれぞれが同一サイズに設けられて、重ね合わせしたときの対向面それぞれが隠蔽情報記載面とされているとともに、重ね合わせしたときの最上位となるシートの外部に表われるシート表面が情報記載面とされ、重ね合わせしたときの前記対向面に剥離可能に接着する弱接着手段が設けられている複数枚のシートからなり、
最上位となるシートには、情報記載面の一辺側である前記最上位となるシートの一辺部に亘って切り取り部が設けられ、
重ね合わせしたときの前記最上位となるシートに対して下位となるシートそれぞれには、前記最上位となるシートの切り取り部が設けられている辺部と同一側となる辺部側に、シートを重ね合わせたときに重なる位置にして切り取り部が設けられ、
最上位となるシートから最下位となるシートの前記切り取り部それぞれは、最上位となるシートの前記情報記載面の一辺側である切り取り部での一方の端位置から最上位となるシートの前記切り取り部の長手方向に沿った方向においてのサイズが重ね合わせ順に応じて段階的に大きくなるように設けられていることを特徴とする重ね合わせ用接着シート。
【発明の詳細な説明】
【０００１】
【発明の属する技術分野】
本発明は重ね合わせたシートを分離し易くした重ね合わせシートを得るための重ね合わせ用接着シートに関するものである。
【０００２】
【発明が解決しようとする課題】
近年においては複数枚のシートを剥離可能に重ね合わせた葉書のように、対向面にも情報を有した複数枚のシートを剥離可能に重ね合わせてなる重ね合わせシートが情報通知の目的などに多く用いられるようになっている。そして、この重ね合わせシートを受取った側でシートの対向面に記載された情報を確認する場合にはシートを剥離するようにしているものであって、このような重ね合わせシートでは剥離操作が行ない易いように最上位となるシートにコーナーカットが施され、このコーナーカットの部分を指掛かりとしていた。
しかしながら、上記重ね合わせシートを作製する場合、コーナーカットを備えたシートを最外側に位置させた状態で複数枚のシートを重ね合わせプレスローラなどに通して圧力を加えて剥離可能に接着させてしており、コーナーカットの部分においてシートの積層が不均一となるため、この部分に対して適正に圧力が加わらずに接着ムラが生じ、図５に示されているようにコーナーカットａに対応した下位のシートｂの隅部同士が適正に接着しないという不具合があった。このため、重ね合わせシートの郵送時などにおいて、前記シートｂの隅部の開いた個所に他のものが引っ掛るなどにして不用意にシートが剥がれるなどの問題が生じ易いものとなっていた。
そこで本発明は上記事情に鑑み、コーナーカットを設けないようにしてシート相互の接着を適正に行なわせるとともに、必要時には剥ぎ取りのための指掛かりが得られるようにすることを課題とし、シート相互が適正に接着した状態で取り扱え、シートの剥ぎ取りも簡単に行なえる重ね合わせシートを得ることを目的とする。
【０００３】
【課題を解決するための手段】
本発明は上記課題を考慮してなされたもので、シートそれぞれが同一サイズに設けられて、重ね合わせしたときの対向面それぞれが隠蔽情報記載面とされているとともに、重ね合わせしたときの最上位となるシートの外部に表われるシート表面が情報記載面とされ、重ね合わせしたときの前記対向面に剥離可能に接着する弱接着手段が設けられている複数枚のシートからなり、
最上位となるシートには、情報記載面の一辺側である前記最上位となるシートの一辺部に亘って切り取り部が設けられ、
重ね合わせしたときの前記最上位となるシートに対して下位となるシートそれぞれには、前記最上位となるシートの切り取り部が設けられている辺部と同一側となる辺部側に、シートを重ね合わせたときに重なる位置にして切り取り部が設けられ、
最上位となるシートから最下位となるシートの前記切り取り部それぞれは、最上位となるシートの前記情報記載面の一辺側である切り取り部での一方の端位置から最上位となるシートの前記切り取り部の長手方向に沿った方向においてのサイズが重ね合わせ順に応じて段階的に大きくなるように設けられていることを特徴とする重ね合わせ用接着シートを提供して、上記課題を解消するものである。
【０００４】
【発明の実施の形態】
つぎに本発明を図１から図４に示す実施の形態に基づいて詳細に説明する。
図中１は重ね合わせ用接着シートで、該重ね合わせ用接着シート１はそれぞれ同一サイズの四枚のシート２、３、４、５からなるものである。そして、これらシート２、３、４、５においては、シート２を最上位として順に重ね合わせしたときの対向面６それぞれに剥離可能に接着する弱接着手段７が設けられている。なお、重ね合わせしたときに外部に表れるシート２の上面及びシート５の下面は情報記載面として構成されているとともに、各シート２、３、４、５それぞれの対向面６においては隠蔽情報記載面として構成されている。
【０００５】
この重ね合わせ用接着シート１では、図１に示されているように、各シート２、３、４、５それぞれの同一辺側に、これらを重ね合わせたときに重なる位置に切り取り部８が設けられている。前記切り取り部８それぞれは、重ね合わせシートを開くときの指掛かりを得るためのものであって、これら切り取り部８はサイズが異なっていて、同一側の辺部９の一方の端１０からその辺部９に沿った方向においてのサイズが、上記重ね合わせ順に応じて段階的に大きくなるように設けられている。
即ち、この実施の形態では、重ね合わせシートとしたときに最下位に位置することになるシート５の切り取り部８のサイズが小さく、上位にいくに従ってシート４、３での切り取り部８のサイズが、図１に示すように、重ね合わせシートでの最上位となるシート２の切り取り部８の長手方向に沿った方向に大きくなり、重ね合わせシートでの最上位となるシート２での切り取り部８が一番大きなサイズとされて、この切り取り部８が、最上位となるシート２の前記情報記載面の一辺側である辺部９に亘っている。
【０００６】
上記切り取り部８は切り取りミシン目など１１によってシート２、３、４、５において区画形成されて分離可能とされているものであり、シート２では辺部９に亘って切り取り部８を設けるためにその切り取りミシン目など１１は前記辺部９に平行にして穿設され、シート３、４、５では辺部９に平行な線部分と辺部９に直角な線部分との略Ｌ型として穿設されている。
【０００７】
上記構成の重ね合わせ用接着シート１から重ね合わせシート１２を得るに当たっては、それぞれ所要の情報を所持したシート２、３、４、５を重ね合わせ、その重ね合わせ状態で圧力を加えるようにすればよく、上記弱接着手段７を介して剥離可能に接着され、図２に示されているように上記切り取り部８は重ね合わされた状態の重ね合わせシート１２が得られる。
そして、重ね合わせシート１２において切り取り部８を辺部９の一方の端１０側でまとめ持って分離するように操作し、その切り取り部８それぞれを重ね合わせシート１２から切り離すことで、図３に示すようにシート３、４、５において表出片１３が階段状に形成され、シート２の端辺もシート３の表出片１３に対して段差を有するようになり、これら表出片１３の部分を指掛かりとしてシート２、３、４、５を引き剥ぐことができ、その引き剥ぎによって表れた対向面に記載された情報を確認できるものとなる。
なお、上記実施の形態では、切り取り部８の形状を方形のものとして示したが、本発明はこれに限定されるものではなく、図４に示すように表出片１３の側縁が円弧状となるように、切り取り部の形状を変更することが可能である。
【０００８】
【発明の効果】
以上説明したように、本発明の重ね合わせ用接着シートによれば、シートそれぞれが同一サイズに設けられて、重ね合わせしたときの対向面それぞれが隠蔽情報記載面とされているとともに、重ね合わせしたときの最上位となるシートの外部に表われるシート表面が情報記載面とされ、重ね合わせしたときの前記対向面に剥離可能に接着する弱接着手段が設けられている複数枚のシートからなり、最上位となるシートには、情報記載面の一辺側である前記最上位となるシートの一辺部に亘って切り取り部が設けられ、重ね合わせしたときの前記最上位となるシートに対して下位となるシートそれぞれには、前記最上位となるシートの切り取り部が設けられている辺部と同一側となる辺部側に、シートを重ね合わせたときに重なる位置にして切り取り部が設けられ、最上位となるシートから最下位となるシートの前記切り取り部それぞれは、最上位となるシートの前記情報記載面の一辺側である切り取り部での一方の端位置から最上位となるシートの前記切り取り部の長手方向に沿った方向においてのサイズが重ね合わせ順に応じて段階的に大きくなるように設けられていることを特徴とするものである。このようにシートそれぞれを同一サイズとしているので、接着時にシートそれぞれが全面に亘って均等に接着されるようになり、不用意な剥がれを生じさせない。
そして、この重ね合わせ用接着シートからなる重ね合わせシートでは、切り取り部をまとめ持って重ね合わせシートから分離するという一回の簡単な操作で複数枚シートのそれぞれに指掛かり部分が形成できるようになり、いずれのシートの部分からでも剥ぎ取り操作ができ、重ね合わせシートの所望の間を開くことができるようになるなど、実用性に優れた効果を奏するものである。
【図面の簡単な説明】
【図１】本発明に係る重ね合わせ用接着シートの一例を示す説明図である。
【図２】本発明の重ね合わせ用接着シートを重ね合わせた重ね合わせシートを切り取り部側での断面状態で示す説明図である。
【図３】重ね合わせシートにおいて切り取り部を取り除いた状態を示す説明図である。
【図４】他の実施の形態において切り取り部を取り除いた状態を示す説明図である。
【図５】従来例でのコーナーカット部分を示す説明図である。
【符号の説明】
１…重ね合わせ用接着シート
２、３、４、５…シート
８…切り取り部
９…辺部
１０…端
１２…重ね合わせシート
【図１】
0004687836.tif 000002
【図２】
0004687836.tif 000003
【図３】
0004687836.tif 000004
【図４】
0004687836.tif 000005
【図５】
0004687836.tif 000006